(57)【要約】【課題】施工性の向上が可能でありながらも安定的に設置し得るフレーム装置及びフレーム装置の施工方法を提供する。【解決手段】フレーム装置２は、壁面５に沿うように配されて少なくとも一箇所が壁面に対して固定され下端部が床面３に当接される壁側縦フレーム２０と、該壁側縦フレームよりも長さ寸法が大とされ、該壁側縦フレームから離間して設置され上端部が天井４に固定され下端部が床面３に当接される室内側縦フレーム１４と、長手方向第１端部が前記壁側縦フレームの上端部に連結され、長手方向第２端部が前記室内側縦フレームにおける前記壁側縦フレームの上端部の高さ位置に応じた部位１６に連結され、被保持部材８を保持する上フレーム１０と、を備えている。【選択図】図１
2020084653.tif 000002
【特許請求の範囲】
【請求項１】
壁面に沿うように配されて少なくとも一箇所が壁面に対して固定され下端部が床面に当接される壁側縦フレームと、該壁側縦フレームよりも長さ寸法が大とされ、該壁側縦フレームから離間して設置され上端部が天井に固定され下端部が床面に当接される室内側縦フレームと、長手方向第１端部が前記壁側縦フレームの上端部に連結され、長手方向第２端部が前記室内側縦フレームにおける前記壁側縦フレームの上端部の高さ位置に応じた部位に連結され、被保持部材を保持する上フレームと、を備えていることを特徴とするフレーム装置。
【請求項２】
請求項１において、
前記壁側縦フレームには、前記壁面に向けて止着される固着具が挿通される挿通孔が設けられていることを特徴とするフレーム装置。
【請求項３】
請求項１または２において、
前記室内側縦フレームの上端部には、昇降自在とされ、前記天井に突き当てられる突当部が設けられていることを特徴とするフレーム装置。
【請求項４】
請求項１乃至３のいずれか１項において、
互いに交差する壁面にそれぞれ沿うように配される二本の前記壁側縦フレームと、これら二本の壁側縦フレームの上端部にそれぞれの長手方向第１端部が連結され、長手方向第２端部が前記室内側縦フレームに連結される二本の前記上フレームと、を備えていることを特徴とするフレーム装置。
【請求項５】
請求項１乃至４のいずれか１項において、
前記上フレームには、前記被保持部材としての間仕切パネルの上端部を保持する保持部が設けられていることを特徴とするフレーム装置。
【請求項６】
少なくとも一箇所を壁面に固定し下端部を床面に当接させて壁側縦フレームを壁面に沿わせて設置する工程と、この壁側縦フレームから離間した位置となるように、上端部を天井に固定し下端部を床面に当接させて前記壁側縦フレームよりも長さ寸法が大とされた室内側縦フレームを設置する工程と、長手方向第１端部を前記壁側縦フレームの上端部に連結し、長手方向第２端部を前記室内側縦フレームにおける前記壁側縦フレームの上端部の高さ位置に応じた部位に連結して被保持部材を保持する上フレームを設置する工程と、を備えていることを特徴とするフレーム装置の施工方法。
【発明の詳細な説明】
【技術分野】
【０００１】
本発明は、フレーム装置及びフレーム装置の施工方法に関する。
【背景技術】
【０００２】
従来より、室内には、室内空間を区画する間仕切壁が設置されているが、間取りを変更したい場合には、大掛かりな工事が必要であった。
例えば、下記特許文献１には、間隔を空けて起立された各柱の上端にビームを掛架した構成とされたフレームを備えた間仕切り装置が開示されている。
【先行技術文献】
【特許文献】
【０００３】
【特許文献１】特開２０１１−６９７５号公報
【発明の概要】
【発明が解決しようとする課題】
【０００４】
しかしながら、上記特許文献１に記載されたような間仕切り装置では、壁面に沿わせて起立された柱と室内側に起立された柱とに掛架されたビームを天井に固定する等しなければ、このビームに連結部材を介して連結された室内側の柱が不安定になることが考えられる。
【０００５】
本発明は、上記実情に鑑みてなされたものであり、施工性の向上が可能でありながらも安定的に設置し得るフレーム装置及びフレーム装置の施工方法を提供する。
【課題を解決するための手段】
【０００６】
上記目的を達成するために、本発明に係るフレーム装置は、壁面に沿うように配されて少なくとも一箇所が壁面に対して固定され下端部が床面に当接される壁側縦フレームと、該壁側縦フレームよりも長さ寸法が大とされ、該壁側縦フレームから離間して設置され上端部が天井に固定され下端部が床面に当接される室内側縦フレームと、長手方向第１端部が前記壁側縦フレームの上端部に連結され、長手方向第２端部が前記室内側縦フレームにおける前記壁側縦フレームの上端部の高さ位置に応じた部位に連結され、被保持部材を保持する上フレームと、を備えていることを特徴とする。
【０００７】
また、上記目的を達成するために、本発明に係るフレーム装置の施工方法は、少なくとも一箇所を壁面に固定し下端部を床面に当接させて壁側縦フレームを壁面に沿わせて設置する工程と、この壁側縦フレームから離間した位置となるように、上端部を天井に固定し下端部を床面に当接させて前記壁側縦フレームよりも長さ寸法が大とされた室内側縦フレームを設置する工程と、長手方向第１端部を前記壁側縦フレームの上端部に連結し、長手方向第２端部を前記室内側縦フレームにおける前記壁側縦フレームの上端部の高さ位置に応じた部位に連結して被保持部材を保持する上フレームを設置する工程と、を備えていることを特徴とする。
【発明の効果】
【０００８】
本発明に係るフレーム装置及びフレーム装置の施工方法は、上述のような構成としたことで、施工性の向上が可能でありながらも安定的に設置することができる。
【図面の簡単な説明】
【０００９】
【図１】（ａ）、（ｂ）は、本発明の一実施形態に係るフレーム装置の一例を模式的に示す概略斜視図である。
【図２】（ａ）、（ｂ）は、同フレーム装置の施工方法の一例を模式的に示す概略斜視図である。
【図３】（ａ）、（ｂ）は、図１（ａ）におけるＸ１−Ｘ１線矢視に対応させた一部破断概略横断面図である。
【図４】（ａ）、（ｂ）は、図１（ａ）におけるＸ２−Ｘ２線矢視に対応させた一部破断概略横断面図である。
【図５】（ａ）は、図１（ａ）におけるＹ−Ｙ線矢視に対応させた一部破断概略縦断面図、（ｂ）は、図１（ａ）におけるＺ部に対応させた一部破断概略側面図である。
【発明を実施するための形態】
【００１０】
以下に本発明の実施の形態について、図面に基づいて説明する。
なお、一部の図では、他図に付している詳細な符号の一部を省略している。
また、以下の実施形態では、フレーム装置を設置した状態を基準として、上下方向等の方向を説明する。
【００１１】
図１〜図５は、本実施形態に係るフレーム装置及びこのフレーム装置の施工方法の一例を模式的に示す図である。
本実施形態に係るフレーム装置２は、図１に示すように、壁面５に沿うように配されて少なくとも一箇所が壁面５に対して固定され下端部が床面３に当接される壁側縦フレーム２０と、この壁側縦フレーム２０から離間して設置される室内側縦フレーム１４と、を備えている。また、このフレーム装置２は、長手方向第１端部が壁側縦フレーム２０に連結され、長手方向第２端部が室内側縦フレーム１４に連結される上フレーム１０を備えている。このような構成とすれば、壁面５に沿わせて壁側縦フレーム２０を固定することができるので、壁に埋込状に配設する必要がなく、大掛かりな工事を要することなく設置でき、また、移設も容易に行うことができる。
【００１２】
本実施形態では、フレーム装置２は、図１（ａ）に示すように、互いに交差する壁面５，５にそれぞれ沿うように配される二本の壁側縦フレーム２０，２０と、これら二本の壁側縦フレーム２０，２０のそれぞれに連結される二本の上フレーム１０，１０と、を備えている。このような構成とすれば、平面視して略Ｌ字状のフレーム構造体を構築することができる。
また、本実施形態では、上フレーム１０は、図１（ｂ）に示すように、被保持部材としての間仕切パネル８を保持する構成とされている。このような構成とすれば、当該フレーム装置２を、間仕切パネル８とによって間仕切装置１として機能させることができる。また、本実施形態では、二本の上フレーム１０，１０の両方を被保持部材としての間仕切パネル８を保持する構成としている。このような構成とすれば、互いに交差する壁面５，５と、各上フレーム１０，１０に保持された間仕切パネル８，８と、によって所定の空間の四周を区画することができる。
【００１３】
この間仕切装置１（フレーム装置２）の施工対象となる建物としては、戸建住宅や集合住宅等の住宅に限られず、商業施設や公共施設等の建物であってもよい。図例では、互いに直交状に設けられた壁面５，５のそれぞれに壁側縦フレーム２０，２０を沿わせて設置し、これら壁側縦フレーム２０，２０の上端部に各壁面５，５に対して直交方向に延びるように各上フレーム１０，１０を連結した例を示している。なお、二本の上フレーム１０，１０同士及び二本の壁側縦フレーム２０，２０同士は、互いに同様の構成であるので、以下では、一つの上フレーム１０及び一つの壁側縦フレーム２０を例にとってそれぞれの具体的構成について説明する。
壁側縦フレーム２０が沿わせられる壁面５は、壁クロスや塗装等の適宜の仕上処理が施された壁仕上面でもよく、仕上処理が施されていない壁下地面でもよい。
床面３は、適宜の床材の表面によって構成される床仕上面でもよく、床材が施工されていない床下地面でもよい。
天井４は、適宜の天井材の表面によって構成される天井仕上面でもよく、天井材が施工されていない天井下地面でもよい。
【００１４】
上フレーム１０は、壁側縦フレーム２０の上端部と、壁側縦フレーム２０よりも長さ寸法が大とされた室内側縦フレーム１４における壁側縦フレーム２０の上端部の高さ位置に応じた部位（上フレーム連結部）１６と、に架け渡されるように配される構成とされている。この上フレーム１０は、長手方向に見た外郭形状が略方形状とされている。
この上フレーム１０の長さ寸法は、壁側縦フレーム２０から室内側縦フレーム１４までの寸法に応じた寸法とされている。この上フレーム１０の長さ寸法は、壁側縦フレーム２０及び室内側縦フレーム１４との接合態様に応じて適宜の寸法としてもよい。本実施形態では、この上フレーム１０と壁側縦フレーム２０及び室内側縦フレーム１４とは、縦勝状に接合される構成とされている。つまり、上フレーム１０の長手方向の各端面に、壁側縦フレーム２０の上端部の見込面及び室内側縦フレーム１４の上フレーム連結部１６の対向する側面（壁側対向面）を当接させて接合される構成としている。
【００１５】
また、この上フレーム１０には、図５（ａ）に示すように、間仕切パネル８の上端部を保持する保持部１２が設けられている。本実施形態では、上フレーム１０の保持部１２は、間仕切パネル８を上フレーム１０の長手方向に沿って移動自在に保持する構成とされている。つまり、間仕切パネル８を可動パネルとしている。また、上フレーム１０の保持部１２は、間仕切パネル８を吊下保持する構成とされている。つまり、間仕切パネル８は、上吊型で建て付けられる構成とされている。
この上フレーム１０には、間仕切パネル８の上端部に設けられた被ガイド部９を受け入れてガイドするガイド溝１３が全長に亘って延びるように設けられている。
また、本実施形態では、この上フレーム１０に、複数本（図例では、二本）のガイド溝１３，１３を見込方向（パネル厚さ方向に沿う方向）に並列状に設けた構成としている。つまり、上フレーム１０は、複数枚の間仕切パネル８をパネル厚さ方向に並列状に保持する構成とされている。
【００１６】
これらガイド溝１３，１３は、下方側に向けて開口するように設けられている。また、これらガイド溝１３，１３の溝幅方向両側を区画する溝側壁部の下端部から互いに向き合う方向に突出するように設けられた片部を保持部１２，１２，１２，１２としている。
また、図例では、これらガイド溝１３，１３間に設けられた溝側壁部１１を、一体的に形成したような例を示しているが、各ガイド溝１３，１３を区画する複数本（図例では二本）の上フレーム部材を接合して上フレーム１０を構成するようにしてもよい。また、この中央側の溝側壁部１１に、壁側縦フレーム２０及び室内側縦フレーム１４を当該上フレーム１０に連結するねじ等の固着具がねじ込まれる止着部を設けた構成としてもよい。なお、このような止着部としては、その他、種々の箇所に設けられたものでもよい。
また、この上フレーム１０の上下方向に沿う見付寸法及びパネル厚さ方向に沿う見込寸法は、強度上の観点や、間仕切パネル８の上端部の保持態様、ガイド溝１３の本数等に応じて適宜の寸法としてもよい。
【００１７】
間仕切パネル８は、上下方向に長尺な略矩形平板状とされている。この間仕切パネル８の上下方向に沿うパネル高さ寸法は、床面３から上フレーム１０までの上下方向に沿う寸法に応じた寸法とされている。また、この間仕切パネル８のパネル幅寸法や枚数は、壁側縦フレーム２０から室内側縦フレーム１４までの間仕切が可能なように、壁側縦フレーム２０から室内側縦フレーム１４までの寸法に応じて適宜の寸法や枚数としてもよい。また、間仕切パネル８のパネル幅寸法や枚数は、各間仕切パネル８の取扱性や操作性の観点等から適宜の寸法や枚数としてもよい。間仕切パネル８のパネル幅寸法は、例えば、一般的な引戸の戸幅寸法と同程度の寸法としてもよく、これよりも大きい寸法としてもよい。また、図例では、各上フレーム１０に二枚の間仕切パネル８，８を引違状に設けた例を示している（図１（ｂ）参照）。
【００１８】
また、この間仕切パネル８の上端部の被ガイド部９は、上フレーム１０に案内支持されるランナーとされている。この被ガイド部９には、上フレーム１０のガイド溝１３に挿入され、両側の保持部１２，１２上を走行する転動体が設けられている。また、被ガイド部９は、間仕切パネル８の上端部のパネル幅方向両端部のそれぞれに設けられている。
なお、間仕切パネル８の下端部に、間仕切パネル８の下端側をガイドする適宜のガイド部材のガイドピン等が挿入（遊挿）される凹溝を設けた構成としてもよい。
また、間仕切パネル８のパネル幅方向の端部に適宜の手掛部を設けた構成としてもよい。
また、間仕切パネル８を、上吊型で建て付けられる構成に代えて、下荷重型で建て付けられる構成としてもよい。この場合は、間仕切パネル８の下端側に床面３や適宜の下レール等の走行対象を走行する戸車を設けたり、上端部の被ガイド部９や上フレーム１０のガイド溝１３、保持部１２等を変形したりしてもよい。
【００１９】
また、間仕切パネル８としては、上フレーム１０の長手方向に沿って移動自在とされたものに限られず、上フレーム１０に対して固定的に保持されるものでもよい。また、間仕切パネル８としては、四周のフレーム内に透光板を設けた透光パネルとしてもよく、その他、種々の構成とされたものでもよい。また、上フレーム１０に保持される被保持部材としては、間仕切パネル８に限られず、照明器具や配線、物干し、植物、写真、絵画等でもよく、その他、種々の物品でもよい。このような被保持部材に応じて上フレーム１０の保持部１２を適宜、変形するようにしてもよく、上フレーム１０を、いわゆるダクトレールから構成されたものとしてもよい。
【００２０】
室内側縦フレーム１４は、上下方向に長尺状とされている。この室内側縦フレーム１４は、上端部が天井４に固定され下端部が床面３に当接される構成とされている。このような構成とすれば、この室内側縦フレーム１４を安定的に設置することができる。また、この室内側縦フレーム１４の上フレーム連結部１６と壁側縦フレーム２０の上端部とに上フレーム１０の長手方向の各端部が連結されるので、上フレーム１０を天井４に対して非固定とすることができる。これにより、大掛かりな工事を要することなく設置でき、また、移設も容易に行うことができる。また、天井４に波打ちや不陸、梁等の凹凸がある場合にもこれらとの干渉を抑制して上フレーム１０を設置することができる。本実施形態では、後記する壁側縦フレーム２０の長さ寸法を、上フレーム１０と天井４との間に隙間が形成されるように天井高よりも小としている。
【００２１】
また、本実施形態では、この室内側縦フレーム１４は、図５（ｂ）に示すように、上端部に、昇降自在とされ、天井４に突き当てられる突当部１８を設けた構成とされている。このような構成とすれば、室内側縦フレーム１４の上端側を、突当部１８を上昇させて天井４に突き当てることで固定することができ、固着具によって天井４側に固定する必要があるものと比べて、撤去や移設を容易に行うことができる。
この室内側縦フレーム１４は、上下方向に長尺状とされたフレーム本体１５の上端部に突当部１８を昇降自在に設けた構成とされている。
フレーム本体１５は、長手方向に見た外郭形状が略方形状とされている。このフレーム本体１５は、中空筒形状とされたものでもよく、中実柱状とされたものでもよい。
また、このフレーム本体１５の互いに交差し、各壁面５，５に対向する壁側対向面に、間仕切パネル８，８が当接される。これら壁側対向面の幅寸法（各上フレーム１０，１０の見込方向に沿う寸法）は、各上フレーム１０，１０の見込寸法と略同寸法とされている。なお、このフレーム本体１５の壁側対向面に、後記する壁側縦フレーム２０と同様な間仕切パネル８のパネル幅方向の端部を受け入れる戸じゃくり溝状の凹溝を設けた構成としてもよい。また、このフレーム本体１５の壁側対向面とは異なる側の交差する側面は、平坦面状とされている。
【００２２】
また、このフレーム本体１５における壁側縦フレーム２０の上端部と同高さ位置に、上フレーム連結部１６が設けられている。この上フレーム連結部１６と上フレーム１０とは、ねじ等の固着具によって接合されるものでもよく、また、固着具に代えてまたは加えて適宜の接合金具によって接合されるものでもよい。また、例えば、上フレーム連結部１６の各壁側対向面に、上フレーム１０の上面やガイド溝１３内面に沿うように設けられる接合片部を突出させるように設け、この接合片部を介して上フレーム１０に接合するような態様等としてもよい。上フレーム連結部１６と上フレーム１０との接合態様としては、その他、種々の接合態様の採用が可能である。
【００２３】
また、フレーム本体１５の上端部には、突当部１８の被保持部１９を昇降自在に保持する保持部１７が設けられている。本実施形態では、これら保持部１７及び被保持部１９の一方を雄ねじ部とし、他方をこの雄ねじ部がねじ合わされる雌ねじ穴としている。このような構成とすれば、ねじ作用によって突当部１８を昇降させることができる。図例では、フレーム本体１５の上端部に、保持部１７を構成する雌ねじ穴を上方側に向けて開口させるように設け、突当部１８の下面側に、被保持部１９を構成する雄ねじ部を下方側に向けて突出させるように設けた例を示している。また、突当部１８を、上下方向に厚さ方向を沿わせた板状とした例を示している。なお、この突当部１８を平面視した形状は、フレーム本体１５の外郭形状と同様な形状でもよく、また、異なる形状でもよい。また、この突当部１８を後記するシート材７と同様なシート材を介して天井４に当接させる構成としてもよい。
【００２４】
また、突当部１８としては、上記のような突当部１８自体を回転させて昇降させるものに代えて、一方に設けられた雄ねじ部を受け入れる筒状部とこの筒状部に対して回転自在にかつ雄ねじ部にねじ合わされたナット部材とを設けたような構成等としてもよい。またねじ作用によって、突当部１８を昇降させる構成とした態様に代えて、ばね等の付勢部材によって上昇側に向けて突当部１８が付勢されたような構成とされたものでもよい。また、フレーム本体１５の上端部に、上方側に向けて開口し、突当部１８を昇降自在に受け入れる受入凹所を設けたような構成としてもよい。フレーム本体１５の上端部に対して昇降自在に設けられる突当部１８としては、その他、種々の変形が可能である。また、このような突当部１８を設けた態様に代えて、または加えて、室内側縦フレーム１４の上端部をねじ等の固着具や適宜の固定金具によって天井４に固定する構成としてもよい。
【００２５】
また、本実施形態では、室内側縦フレーム１４（フレーム本体１５）の下端部は、シート材７を介して床面３に当接される構成とされている。このシート材７としては、粘着シートや滑止シート等でもよい。このような構成とすれば、室内側縦フレーム１４の下端側の移動を抑制することができる。なお、このようなシート材７を設けた態様に代えて、室内側縦フレーム１４の下端部が床面３に直接的に当接される構成としてもよい。
【００２６】
壁側縦フレーム２０は、上下方向に長尺状とされている。この壁側縦フレーム２０の長さ寸法は、天井４側の凹凸との干渉を抑制する観点や間仕切性の観点等から上フレーム１０の上方側に上記したような適宜の隙間が形成されるように適宜の寸法としてもよい。なお、このように上フレーム１０の天井４側に隙間を設ける場合には、上フレーム１０の天井４側に、この上フレーム１０の長手方向の適所を吊下げるように保持する吊下部材を設けた構成としてもよい。また、壁側縦フレーム２０の上端部に、上フレーム１０の止着部に止着される固着具の挿通孔を設けた構成としてもよい。この壁側縦フレーム２０の上端部と上フレーム１０との接合態様としては、上記同様、種々の接合態様の採用が可能である。
また、この壁側縦フレーム２０における壁面５に対する固定箇所は、壁側縦フレーム２０の長手方向途中部位の適所でもよいが、好ましくは、長手方向中央部よりも上側部位としてもよく、図例では、上端側部位としている。本実施形態では、図３に示すように、壁側縦フレーム２０の上端側部位に、壁面５に向けて止着される固着具２８が挿通される挿通孔２３，２６を設けた構成としている。このような構成とすれば、挿通孔２３，２６に固着具２８を挿通して壁側縦フレーム２０を壁面５に固定することができる。
【００２７】
また、壁側縦フレーム２０は、本実施形態では、壁面５との隙間調整機能を有した構成とされている。この壁側縦フレーム２０は、図３及び図４に示すように、壁面５に向けて開口する受入溝２２が全長に亘って設けられ、少なくとも一箇所（本実施形態では、上端側部位）が壁面５に対して固定され下端部が床面３に当接されるフレーム本体２１を備えている。また、壁側縦フレーム２０は、フレーム本体２１の受入溝２２に進退自在に受け入れられ、フレーム本体２１の全長に亘って設けられた隙間遮蔽部材２５を備えている。また、壁側縦フレーム２０は、当該壁側縦フレーム２０の長手方向に間隔を空けて複数箇所に設けられ、かつフレーム本体２１の反壁面側となる見込面側において操作可能とされフレーム本体２１に対して隙間遮蔽部材２５を進退させる進退調整部材２９を備えている。
【００２８】
上記のような構成とすれば、壁側縦フレーム２０のフレーム本体２１を固定した状態で、進退調整部材２９を操作して隙間遮蔽部材２５を壁面５に当接させることで、壁面５と壁側縦フレーム２０との間に隙間が生じることを抑制することができる。これにより、設置箇所の波打ちや不陸に合わせて縦枠を現場において加工する必要があるようなものと比べて施工性を向上させることができる。また、複数箇所に進退調整部材２９を設けているので、壁面５の上下方向において波打ちや不陸がある場合にも隙間を生じ難くすることができる。
【００２９】
フレーム本体２１は、図３に示すように、長手方向に見た外郭形状が略方形状とされている。このフレーム本体２１の見込面側には、間仕切パネル８のパネル幅方向の端部を受け入れる戸じゃくり溝状の凹溝２１ａが設けられている。この凹溝２１ａは、フレーム本体２１の全長に亘って延びるように設けられている。本実施形態では、上フレーム１０に並列状に設けられた二本のガイド溝１３，１３に対応させて、このフレーム本体２１の見込面側に、二本の凹溝２１ａ，２１ａを見込方向に並列状に設けた構成としている。なお、このような凹溝２１ａを設けていない構成としてもよい。
このフレーム本体２１の見込方向に向く両側の側面（見付面）は、平坦面状とされている。また、図例では、このフレーム本体２１の見込寸法を、上フレーム１０の見込寸法と略同寸法とした例を示している。
【００３０】
また、このフレーム本体２１の受入溝２２は、溝長手方向に見て略方形溝状とされている。この受入溝２２の溝深さ寸法は、後記する隙間遮蔽部材２５の受入が可能なように、また、隙間遮蔽部材２５による所望する調整寸法等に応じて適宜の寸法としてもよい。
この受入溝２２の溝幅方向両側を区画する溝側壁部２１ｂ，２１ｂは、フレーム本体２１の壁面５に対面する側の見込方向両側縁部から壁面５に向けて突出するように設けられている。これら溝側壁部２１ｂ，２１ｂの突出寸法は、壁面５に対面されるそれぞれの先端面が同一平面状となるように互いに同寸法とされている。また、これら溝側壁部２１ｂ，２１ｂは、見込方向に厚さ方向を沿わせた板状とされている。これら溝側壁部２１ｂ，２１ｂの厚さ寸法は、後記する隙間遮蔽部材２５との段差を目立ち難くする観点や強度上の観点等から適宜の寸法としてもよい。
【００３１】
隙間遮蔽部材２５は、長手方向に見た外郭形状が略方形状とされている。この隙間遮蔽部材２５の見込方向に向く両側の側面（見付面）は、平坦面状とされている。また、図例では、隙間遮蔽部材２５の見付方向（上フレーム１０の長手方向に沿う方向）に向く両側の側面も略平坦面状とした例を示しているが、このような態様に限られない。
この隙間遮蔽部材２５の見込方向に沿う寸法は、受入溝２２の溝幅寸法に応じた寸法とされている。この隙間遮蔽部材２５の見込方向に沿う寸法は、隙間遮蔽部材２５が受入溝２２内を見付方向（溝深さ方向）に移動可能なように受入溝２２の溝幅寸法よりも僅かに小としてもよい。
また、この隙間遮蔽部材２５の見付方向に沿う寸法は、当該隙間遮蔽部材２５による所望する調整寸法等に応じて適宜の寸法としてもよい。図例では、隙間遮蔽部材２５の見付方向に沿う寸法を、当該隙間遮蔽部材２５の全体が受入溝２２内に受け入れ可能な寸法としている（図４（ｂ）参照）。また、図例では、フレーム本体２１の受入溝２２内に隙間遮蔽部材２５が最大限退入された状態で、隙間遮蔽部材２５の壁面５側に向く面とフレーム本体２１の溝側壁部２１ｂ，２１ｂの先端面とが略同一平面状となる構成とした例を示している。
【００３２】
壁側縦フレーム２０の上端側部位の挿通孔２３，２６は、これらフレーム本体２１及び隙間遮蔽部材２５の上端側部位のそれぞれを見付方向に貫通するように設けられている。フレーム本体２１の挿通孔２３と隙間遮蔽部材２５の挿通孔２６とは、見付方向に見て一致する位置となるように設けられている。これら挿通孔２３，２６は、壁幅方向に延びるように壁に設けられた胴縁等の壁下地６の高さに応じた位置となるように設けられたものでもよい（図１参照）。つまり、壁側縦フレーム２０（フレーム本体２１）における壁面５に対する固定箇所は、壁下地６の高さに応じた位置としてもよい。また、図例では、これら挿通孔２３，２６を、フレーム本体２１及び隙間遮蔽部材２５のそれぞれの見込方向略中央部に設けた例を示している。
これら挿通孔２３，２６の内径は、固着具２８の軸部２８ａの外径よりも僅かに大とされている。また、図例では、固着具２８を皿ねじ状とし、フレーム本体２１の挿通孔２３の見込面側に、この固着具２８の頭部２８ｂを受け入れるざぐり状（皿ざぐり状）の凹部２３ａを設けた例を示している。この固着具２８は、フレーム本体２１の上端側部位と壁面５との間に隙間が形成されるように壁面５に向けて止着される。
【００３３】
なお、フレーム本体２１及び隙間遮蔽部材２５の下端側部位にも同様な挿通孔を設けた構成としてもよい。
また、フレーム本体２１の下端部は、上記同様なシート材７（図５（ｂ）参照）を介して床面３に当接されるものでもよい。このような構成とすれば、フレーム本体２１の下端側を壁面５に固定しないような場合にも、フレーム本体２１の下端側の移動を抑制することができる。なお、このようなシート材７を設けずにフレーム本体２１の下端部が床面３に直接的に当接される構成としてもよい。
【００３４】
進退調整部材２９は、図１（ａ）に示すように、本実施形態では、フレーム本体２１の上端側部位を固定する固着具２８よりも下方側に位置するように設けられている。また、進退調整部材２９は、フレーム本体２１の下端側部位と長手方向途中部位とに設けられている。図例では、フレーム本体２１の上端側部位を固定する固着具２８と下端側部位の進退調整部材２９との間に略等間隔を空けて複数（図例では２つ）の進退調整部材２９，２９を設けた例を示している。この進退調整部材２９を設ける位置や個数は、壁面５との隙間を抑制する観点や、作業性の観点等から適宜の位置や個数としてもよく、２つ〜５つ程度としてもよい。なお、フレーム本体２１における壁面５に対する固定箇所によっては、進退調整部材２９を固定箇所よりも上方側にも設けた構成としてもよい。また、これら複数の進退調整部材２９は、互いに同様の構成であるので、以下では、一つを例にとって具体的構成について説明する。
【００３５】
進退調整部材２９は、図４に示すように、フレーム本体２１及び隙間遮蔽部材２５の見込方向略中央部に位置するように設けられている。また、この進退調整部材２９は、本実施形態では、隙間遮蔽部材２５の壁面５側に向く面から突出しないように設けられている。このような構成とすれば、進退調整部材２９と壁面５との干渉を抑制することができる。
また、本実施形態では、進退調整部材２９は、フレーム本体２１に回転自在に保持される被保持部２９ａと、隙間遮蔽部材２５に設けられた雌ねじ穴２７にねじ合わされる雄ねじ部２９ｄと、を備えている。このような構成とすれば、進退調整部材２９を雄ねじ部２９ｄの軸回りに回転させることで隙間遮蔽部材２５をねじ作用によって進退させることができる。また、進退調整部材２５がフレーム本体２１に保持されているので、この進退調整部材２５によってフレーム本体２１に対して隙間遮蔽部材２５を保持させることができる。
【００３６】
また、進退調整部材２９の被保持部２９ａは、フレーム本体２１を見付方向に貫通する挿通孔２４に回転自在に挿通された軸状（丸棒状）とされている。この被保持部２９ａの軸方向一方側端部には、フレーム本体２１の見込面側においてドライバー等の治具によって操作可能とされた十字穴やすりわり等の操作部が設けられた頭部２９ｂが設けられている。フレーム本体２１の挿通孔２４の見込面側には、上記同様、進退調整部材２９の頭部２９ｂを受け入れるざぐり状（皿ざぐり状）の凹部２４ａが設けられている。また、図例では、フレーム本体２１の挿通孔２４及び上記した固着具２８の挿通孔２３が設けられた部位の見込方向両側に、フレーム本体２１の全長に亘って延びる中空部を設けた例を示している。
【００３７】
また、被保持部２９ａの軸方向他方側には、受入溝２２の溝底２２ａに当接または近接される鍔状部２９ｃが設けられている。この鍔状部２９ｃは、被保持部２９ａに対して軸方向に移動不能に固定的に設けられており、外径が挿通孔２４の内径よりも大とされている。進退調整部材２９は、この鍔状部２９ｃと頭部２９ｂとによってフレーム本体２１に対して軸方向への移動が抑止されている。なお、フレーム本体２１の受入溝２２の溝底２２ａまたはこれに対面される隙間遮蔽部材２５の反壁面側に向く面に、鍔状部２９ｃを受け入れる凹部を設けた構成としてもよい。
また、進退調整部材２９の雄ねじ部２９ｄは、被保持部２９ａと同軸状に設けられており、受入溝２２の溝底２２ａから壁面５に向けて突出するように設けられている。この雄ねじ部２９ｄは、溝側壁部２１ｂ，２１ｂの先端面から突出しないように設けられている。図例では、雄ねじ部２９ｄを、その壁面５側の先端面が溝側壁部２１ｂ，２１ｂの先端面よりも見付方向で僅かに溝底２２ａ側となるように設けた例を示しているが、このような態様に限られない。
【００３８】
隙間遮蔽部材２５の雌ねじ穴２７は、フレーム本体２１の挿通孔２４と見付方向に見て一致する位置となるように設けられている。図例では、この雌ねじ穴２７を、隙間遮蔽部材２５を見付方向に貫通させて設けた例を示しているが、有底穴状としてもよい。また、図例では、隙間遮蔽部材２５の雌ねじ穴２７及び上記した固着具２８の挿通孔２６が設けられた部位の見込方向両側に、隙間遮蔽部材２５の全長に亘って延びる中空部を設けた例を示している。
なお、この雌ねじ穴２７は、隙間遮蔽部材２５に直接的に設けられたものでもよく、隙間遮蔽部材２５に埋込状に設けられたナット部材に設けられたものでもよい。また、フレーム本体２１の挿通孔２３，２４及び隙間遮蔽部材２５の挿通孔２６も同様、これらフレーム本体２１及び隙間遮蔽部材２５に直接的に設けられたものでもよく、これらに埋込状に設けられた適宜のカラー等の円筒状部材に設けられたものでもよい。また、進退調整部材２９に加えて隙間遮蔽部材２５をフレーム本体２１に対して進退自在に保持する部材を設けた構成としてもよく、また、隙間遮蔽部材２５の受入溝２２外への移動を抑止する適宜のストッパー部を設けた構成等としてもよい。
【００３９】
また、本実施形態では、フレーム本体２１及び隙間遮蔽部材２５における少なくとも室内側において露出する表面（露出表面）を、互いに同色状としている。このような構成とすれば、フレーム本体２１と隙間遮蔽部材２５との外観の統一化を図ることができ、壁面５との間の隙間調整機能を有したものとしながらも、違和感を生じ難くすることができる。フレーム本体２１の上記露出表面は、反壁面側に向く見込面、見込方向に向く両側面（見付面）及び溝側壁部２１ｂ，２１ｂの先端面を含む。また、隙間遮蔽部材２５の上記露出表面は、当該隙間遮蔽部材２５がフレーム本体２１の受入溝２２に対して最大限進出された状態において露出する見込方向に向く両側面（見付面）を指すが、見込方向に向く両側面の全体としてもよい。
【００４０】
また、フレーム本体２１の上記露出表面と隙間遮蔽部材２５の上記露出表面とが同色状とは、完全に同色に限られず、それぞれが単一色であれば、視覚的に見分け難い程度に互いの色差が小さいようなものも含む。また、フレーム本体２１の上記露出表面及び隙間遮蔽部材２５の上記露出表面に模様や柄が施されている場合には、同様の模様や柄が同系色で施されているようなものも含む。また、上記した上フレーム１０及び室内側縦フレーム１４の少なくとも室内側において露出する表面（露出表面）を、これらフレーム本体２１及び隙間遮蔽部材２５の上記露出表面と同色状としてもよい。また、これら上フレーム１０、室内側縦フレーム１４及び壁側縦フレーム２０の上記露出表面は、塗装や化粧シートの貼着等によって適宜の表面化粧処理が施された化粧面としてもよい。このような構成とすれば、既設の室内壁に対して設置する際にも容易にかつ見栄え良く設置することができ、リフォーム用部材としても好適に用いることができる。例えば、これら上フレーム１０、室内側縦フレーム１４及び壁側縦フレーム２０の上記露出表面を、アイアン調の黒色系やマット調の白色系の表面仕上処理が施されたものとしてもよい。なお、このような態様に代えて、施工後に適宜の表面仕上処理がなされるものでもよい。
【００４１】
また、これら上フレーム１０、室内側縦フレーム１４及び壁側縦フレーム２０は、アルミニウムやステンレス等の金属系材料から押出成形された金属製形材としてもよい。また、これら上フレーム１０、室内側縦フレーム１４及び壁側縦フレーム２０は、金属系材料から形成されたものに限られず、合成樹脂系材料や木質系材料から形成されたものでもよい。また、室内側縦フレーム１４のフレーム本体１５と突当部１８とは、同材料から形成されたものに限られず、例えば、突当部１８をフレーム本体１５よりも軟質な材料から形成されたものとしてもよい。また、壁側縦フレーム２０のフレーム本体２１と隙間遮蔽部材２５とも、同材料から形成されたものに限られず、例えば、隙間遮蔽部材２５をフレーム本体２１よりも軟質な材料から形成されたものとしてもよい。
【００４２】
次に、上記構成とされた本実施形態に係るフレーム装置２の施工方法の一例について説明する。
同施工方法は、図２（ａ）に示すように、少なくとも一箇所を壁面５に固定し下端部を床面３に当接させて壁側縦フレーム２０を壁面５に沿わせて設置する工程を備えている。本実施形態では、互いに交差する壁面５，５のそれぞれに沿わせて壁側縦フレーム２０，２０を設置する構成としている。これら壁側縦フレーム２０，２０は、本実施形態では、上記のように、上端側部位に固着具２８の挿通孔２３，２６を設けているので、挿通孔２３，２６を介して固着具２８を各壁面５，５に向けて止着し、固定するようにしてもよい。また、各フレーム本体２１，２１の下端部を、シート材７を介して床面３に当接させるようにしてもよい。また、この際、各フレーム本体２１，２１とこれらのそれぞれが対面される壁面５，５との間に隙間が形成されるように設置する構成としている。
【００４３】
また、同施工方法は、図２（ｂ）に示すように、壁側縦フレーム２０，２０から離間した位置となるように、上端部を天井４に固定し下端部を床面３に当接させて室内側縦フレーム１４を設置する工程を備えている。この室内側縦フレーム１４は、各壁側対向面が各壁側縦フレーム２０，２０の見込面に対面する位置となるように設置される。また、この室内側縦フレーム１４は、上端部の突当部１８を上昇させて天井４に突き当て、下端部をシート材７を介して床面３に当接させて設置するようにしてもよい。
また、同施工方法は、図２（ｂ）及び図１（ａ）に示すように、長手方向第１端部を壁側縦フレーム２０の上端部に連結し、長手方向第２端部を室内側縦フレーム１４の上フレーム連結部１６に連結して上フレーム１０を設置する工程を備えている。本実施形態では、二本の上フレーム１０，１０のそれぞれの長手方向第１端部を各壁側縦フレーム２０，２０の上端部に連結し、長手方向第２端部を室内側縦フレーム１４の各壁側対向面に連結する構成としている。
【００４４】
また、本実施形態では、同施工方法は、各壁側縦フレーム２０，２０の進退調整部材２９，２９を操作して隙間遮蔽部材２５，２５を各壁面５，５に当接させる工程を備えている。このような構成とすれば、設置箇所の波打ちや不陸に合わせて縦枠を現場において加工する必要があるようなものと比べて施工性を向上させることができる。
そして、上フレーム１０に、適宜、被保持部材を構成する間仕切パネル８を建て付けるようにしてもよい。なお、上記施工手順は、一例に過ぎず、種々の変形が可能である。
【００４５】
また、本実施形態では、上フレーム１０と天井４との間に隙間が形成される構成とした例を示しているが、上フレーム１０が天井４に当接される構成としてもよい。
また、本実施形態では、壁側縦フレーム２０に固着具２８の挿通孔２３，２６を設けた例を示しているが、このような挿通孔２３，２６を設けていない構成としてもよい。
また、本実施形態では、壁側縦フレーム２０にフレーム本体２１、隙間遮蔽部材２５及び進退調整部材２９を設け、この壁側縦フレーム２０を隙間調整機能を有した構成とした例を示しているが、このような隙間調整機能を有していない構成としてもよい。
【００４６】
また、本実施形態では、二本の上フレーム１０と二本の壁側縦フレーム２０と一本の室内側縦フレーム１４とによって平面視して略Ｌ字状のフレーム構造体を構築する構成とした例を示しているが、このような態様に限られない。例えば、同一壁面５に壁幅方向に間隔を空けて沿わせられる二本の壁側縦フレーム２０と、これらの各々から離間して設置される二本の室内側縦フレーム１４と、各縦フレームを平面視して略Ｃ字状に連結する三本の上フレーム１０と、を備えた構成としてもよい。または、一本の壁側縦フレーム２０と一本の室内側縦フレーム１４と二本の上フレーム１０とによって平面視して略Ｌ字状のフレーム構造体を構築する構成としてもよい。さらには、一本の壁側縦フレーム２０と一本の室内側縦フレーム１４と一本の上フレーム１０とによって平面視して略Ｉ字状のフレーム構造体を構築する構成としてもよい。また、本実施形態に係るフレーム装置２の各部材及び各部の構成は、上記したような構成に限られず、その他、種々の変形が可能である。
【符号の説明】
【００４７】
２      フレーム装置
１０    上フレーム
１２    保持部
１４    室内側縦フレーム
１６    上フレーム連結部（壁側縦フレームの上端部の高さ位置に応じた部位）
１８    突当部
２０    壁側縦フレーム
２３    挿通孔
２６    挿通孔
２８    固着具
３      床面
４      天井
５      壁面
８      間仕切パネル（被保持部材）
【図１】
2020084653.tif 000003
【図２】
2020084653.tif 000004
【図３】
2020084653.tif 000005
【図４】
2020084653.tif 000006
【図５】
2020084653.tif 000007